(57)【要約】【課題】  乗員によるシートベルトの引き出し過程に関係なく引き出し中断を正確に判定してベルトを巻き取ることができ、もって、不必要なベルトテンションの増加による乗員の違和感を未然に防止して商品価値を向上できるシートベルト装置を提供する。【解決手段】  シートベルト４の引き出しに伴うスプール３の回転を回転数センサ１２により検出し、その後のシートベルト４の着用をバックルスイッチ２５により検出する。回転数センサ１２によりシートベルト４の引き出しが検出されてから、ベルト着用に要する一般的な所要時間に対して余裕を見込んだ着用所要時間Ｔoが経過してもバックルスイッチ２５がオンしないときには、ベルト引き出し中断と見なしてモータ１１によりスプール３を回転駆動してシートベルト４を巻き取る。【選択図】      図１
2005219535.tif 000002
【特許請求の範囲】
【請求項１】
シートベルトの一端が固定されて該シートベルトを巻き取り可能に回転される回転体と、
上記回転体を上記シートベルトの巻き取り方向に付勢する付勢部材と、
モータの回転力により上記回転体を上記巻き取り方向に回転可能なモータベルト機構と
を有するシートベルト装置において、
上記シートベルトの引き出し状態を検出するベルト引出し検出手段と、
上記シートベルトの着用状態を検出するベルト着用検出手段と、
上記ベルト引出し検出手段と上記ベルト着用検出手段との検出結果に応じて上記回転体に作用する上記モータベルト機構の回転力を制御するモータ回転制御手段と
を有し、
上記モータ回転制御手段は、上記ベルト引出し検出手段及び上記ベルト着用検出手段によって、上記シートベルトが引き出されてから所定時間が経過しても上記シートベルトが着用されない所定の状態が検出されたときに、上記モータベルト機構の上記モータを作動させて上記回転体を巻き取り方向に回転させることを特徴とするシートベルト装置。
【請求項２】
上記モータ回転制御手段は、上記所定状態の検出に伴い上記モータが回転した後に上記ベルト引出し検出手段により上記ベルトの巻き取り完了が検出されると、上記モータの作動を停止させることを特徴とする請求項１記載のシートベルト装置。
【請求項３】
上記ベルト引出し検出手段は、上記シートベルトが格納された状態からの引き出し量、上記回転体の回転位置、上記回転体による上記シートベルトの巻き取り量、又は上記シートベルトに係る張力の何れかに応じて上記シートベルトの引き出し状態を検出することを特徴とする請求項１又は２記載のシートベルト装置。
【発明の詳細な説明】
【技術分野】
【０００１】
本発明は車両に装備されるシートベルト装置に係り、詳しくはベルトテンションの制御に関するものである。
【背景技術】
【０００２】
車両に装備されているシートベルト装置は、衝突等により車両に大きな減速度が作用したときにシートベルトで乗員を拘束してシートからの飛び出しを防止する役割を果たしている。この種のシートベルト装置では、リトラクタに巻き取られたシートベルトを乗員が必要に応じて引き出して使用しており、シートベルトにはリトラクタにより常にベルトテンションが加えられて、これによりバックル解離時のシートベルトの巻き取りを可能とすると共に、使用時のシートベルトの弛みを防止している。リトラクタによる最適なベルトテンションはシートベルトの使用状況に応じて異なり、例えばバックル解離時には円滑な巻き取りのために比較的強いベルトテンションが要求される一方、シートベルトの使用時には乗員への圧迫感を軽減するために比較的弱いベルトテンションが要求される。そこで、このような使用状況に応じてリトラクタによるベルトテンションを調整するようにしたシートベルト装置が提案されている（例えば、特許文献１参照）。
【０００３】
特許文献１に開示されたシートベルト装置では、付勢力が異なる２種の渦巻きばねをソレノイドの切換えに応じて選択的に作用させるベルトテンションを調整しており、リトラクタへのベルト格納状態及びベルト引き出し時にはベルトテンションを弱め、バックルに設けたスイッチによりバックル締結が検出されると、一旦ベルトテンションを強めてシートベルトの弛みを解消した後に、ベルトテンションを弱めている。又、シートベルトの引き出しが途中で所定時間（例えば０．５sec）中断されると、この状況をベルト巻取り用のリールの回転量に基づいては検知して、ベルトテンションを強めることで引き出されているシートベルトの巻き取りを図る一方、中断されたベルトの引き出しが再開されると、上記リール回転量に基づいてベルトテンションを再び弱めている。
【特許文献１】特開２０００−１３５９６９号公報
【発明の開示】
【発明が解決しようとする課題】
【０００４】
しかしながら、乗員がシートベルトの引き出しを開始してバックルに締結するまでの過程は、本人の癖や周囲の状況等に応じて様々に変化し、例えばベルト引き出し途中においてシート上で姿勢を正したり同乗者との会話に気を取られたりしたときには、自ずとベルト引き出し操作が円滑さを欠いて一時的に中断されてしまう。上記特許文献１に開示されたシートベルト装置では、ベルト引き出しが所定時間中断されることを条件としているため、このような場合にベルト着用の意志があるにも拘わらず不必要にベルトテンションが強められて乗員に違和感を与えてしまい、ひいてはシートベルト装置としての商品価値を低下させてしまうという問題があった。
【０００５】
本発明の目的は、乗員によるシートベルトの引き出し過程に関係なく引き出し中断を正確に判定してベルトを巻き取ることができ、もって、不必要なベルトテンションの増加による乗員の違和感を未然に防止して商品価値を向上させることができるシートベルト装置を提供することにある。
【課題を解決するための手段】
【０００６】
上記目的を達成するため、請求項１の発明は、シートベルトの一端が固定されてシートベルトを巻き取り可能に回転される回転体と、回転体をシートベルトの巻き取り方向に付勢する付勢部材と、モータの回転力により回転体を巻き取り方向に回転可能なモータベルト機構とを有するシートベルト装置において、シートベルトの引き出し状態を検出するベルト引出し検出手段と、シートベルトの着用状態を検出するベルト着用検出手段と、ベルト引出し検出手段とベルト着用検出手段との検出結果に応じて回転体に作用するモータベルト機構の回転力を制御するモータ回転制御手段とを有し、モータ回転制御手段が、ベルト引出し検出手段及びベルト着用検出手段によって、シートベルトが引き出されてから所定時間が経過してもシートベルトが着用されない所定の状態が検出されたときに、モータベルト機構のモータを作動させて回転体を巻き取り方向に回転させるものである。
【０００７】
従って、シートベルトの引き出しが開始されると、当該ベルトの引き出しがベルト引出し検出手段により検出され、その後にベルトが着用されると、当該ベルトの着用がベルト着用検出手段により検出される。そして、シートベルトが引き出し途中で放置された場合には、ベルト引出し検出手段によりシートベルトの引き出しが検出されてから所定時間、例えば、ベルト着用に要する一般的な所要時間に対して余裕を見込んだ時間が経過しても、ベルト着用検出手段によりシートベルトの着用が検出されないため、モータ回転制御手段によりモータベルト機構のモータが作動し、回転体が巻き取り方向に回転してシートベルトが確実に巻き取られる。
【０００８】
ここで、乗員の癖や周囲の状況等に起因して、ベルト着用の意志があるにも拘わらずベルト引き出し操作が中断される場合があるが、ベルト引き出し開始から着用完了までの時間に基づいて判定しているため、ベルト引き出し操作が多少中断されたとしても全体としてのベルト着用に要する時間はそれほど延長化されず、所定時間の経過前にベルト着用が完了する。よって、このように乗員にベルト着用の意志がある場合には、ベルトテンションが不必要に強められる事態が未然に防止される。
【０００９】
請求項２の発明は、請求項１において、モータ回転制御手段が、所定状態の検出に伴いモータが回転した後にベルト引出し検出手段によりベルトの巻き取り完了が検出されると、モータの作動を停止させるものである。
従って、所定状態の検出に伴ってモータが回転した後にベルト引出し検出手段によりベルトの巻き取り完了が検出されると、モータ回転制御手段によりモータの作動が停止されて、通常通りのシートベルトの巻き取りを完了した状態に戻る。
【００１０】
請求項３の発明は、請求項１又は２において、ベルト引出し検出手段が、シートベルトが格納された状態からの引き出し量、回転体の回転位置、回転体によるシートベルトの巻き取り量、又はシートベルトに係る張力の何れかに応じてシートベルトの引き出し状態を検出するものである。
従って、シートベルトの引き出し状態に応じて、シートベルトの引き出し量、回転体の回転位置、回転体による巻き取り量、及びシートベルトに係る張力は共に変化することから、何れかに基づいてシートベルトの引き出し状態を検出可能となる。
【発明の効果】
【００１１】
以上説明したように請求項１乃至３の発明のシートベルト装置によれば、乗員によるシートベルトの引き出し過程に関係なく引き出し中断を正確に判定してベルトを巻き取ることができ、もって、不必要なベルトテンションの増加による乗員の違和感を未然に防止して商品価値を向上させることができる。
【発明を実施するための最良の形態】
【００１２】
以下、本発明を具体化したシートベルト装置の一実施形態を説明する。
図１は本実施形態のシートベルト装置を示す全体構成図、図２はリトラクタを車両前方より見た部分断面図である。尚、図１ではシート一つ分のシートベルト装置を示しているが、図中の制御回路には車両に備えられた他のシートに対応する同一構成のシートベルト装置も接続されている。
【００１３】
シートベルト装置のリトラクタ１は例えば車両のセンタピラー２の下部付近に固定され、センタピラー２に装着された図示しない内装材により車室内から隠蔽されている。リトラクタ１内には回転軸３ａによりスプール３（回転体）が回転可能に設けられ、当該スプール３にはシートベルト４の一端が固定されている。スプール３には図示しない渦巻きばね（付勢部材）が装着され、当該渦巻きばねによりスプール３は常にシートベルト４の巻き取り方向（図２中の矢印方向）に付勢されている。図示はしないが、シートベルト４の他端はセンタピラー上部の引出口から車室内に引き出されて、タング５に挿通された上でセンタピラー２の下部にボルト６により固定されている。当該タング５は車両のシート側にボルト７で固定されたバックル８に対して締結・解離可能とされ、非着用時のシートベルト４は一端側をリトラクタ１のスプール３に巻き取られて格納され、着用時にはスプール３を回転させながら車室内に引き出されてタング５をバックル８に締結される。
【００１４】
リトラクタ１には車両衝突時等にシートベルト４の引き出しを拘束するロック装置が設けられている。当該ロック装置の構成は周知のため詳細は説明しないが、車両の減速度やシートベルト４の引き出し加速度等を検知してラチェット機構によりシートベルト４の引き出しを規制し、これにより乗員を拘束して前方への飛び出しを防止する。
上記リトラクタ１のスプール３の回転軸３ａには被動ギア９が連結され、被動ギア９はスプール３の下方に配置された駆動ギア１０と噛合している。駆動ギア１０は図示しないワンウェイクラッチを介してモータ１１に連結され、当該ワンウェイクラッチは上記シートベルト４の巻き取り方向へのみ回転力を伝達する。本実施形態ではこれらの被動ギア９、駆動ギア１０、ワンウェイクラッチ及びモータ１１によりモータベルト機構が構成されている。
【００１５】
従って、ベルト巻き取り方向にモータ１１が回転すると、その回転力は駆動ギア１０及び被動ギア９を介してスプール３に伝達されるため、上記渦巻きばねの付勢力にモータ１１の回転力を加えた力によりシートベルト４がスプール３に巻き取られる。後述のようにモータトルクは通電電流の調整によりＬＯ及びＨＩの２段階（後述するベルトテンションＦ２，Ｆ３に相当する）に切換可能となっている。一方、シートベルト４の引き出しに伴うスプール３の回転力のモータ側への伝達はワンウェイクラッチにより遮断されて、モータ１１がベルト引き出しの抵抗となるのが防止されている。
【００１６】
スプール３には回転数を検出する回転数センサ１２（ベルト引出し検出手段）が設けられている。例えば回転数センサ１２は、スプール３の回転軸上に連結された検出用ギアにコイル等の検出素子を対向配置し、検出用ギアの回転に伴う磁界変化により検出パルスを出力するコイル式のセンサとして構成できる。
一方、車室内にはプリクラッシュ用ＥＣＵ（電子制御ユニット）２１（モータ回転制御手段）、車両の一般的な電気機器の制御を行う電制用ＥＣＵ（例えば、メータ用ＥＣＵ等）２２、ブレーキ制御用ＥＣＵ２３がバス２４を介して接続されており、これらのＥＣＵ２１〜２３は、図示しない入出力装置、制御プログラムや制御マップ等の記憶に供される記憶装置（ＲＯＭ，ＲＡＭ，ＢＵＲＡＭ等）、中央処理装置（ＣＰＵ）、タイマカウンタ等から構成されている。プリクラッシュ用ＥＣＵ２１は通常時（ベルト格納状態やベルト着用状態等）のベルトテンションの制御に加えて急ブレーキ時のベルトテンションの制御を実行し、電制用ＥＣＵ２２は主に車両の一般的な電気機器制御を行うときにベルト着用非着用の認識をも実行し、ブレーキ制御用ＥＣＵ２３は車両の旋回制御（スタビリティコントロール）やトラクションコントロール、及び先行車に対する追突防止のためのブレーキ制御（ブレーキアシスト）等を実行する。
【００１７】
プリクラッシュ用ＥＣＵ２１には上記リトラクタ１の回転数センサ１２が接続されると共に、上記モータ１１が接続されている。又、電制用ＥＣＵ２２には上記バックル８に設けられたバックルスイッチ２５（ベルト着用検出手段）が接続され、ブレーキ制御用ＥＣＵ２３には車両のブレーキ操作情報が入力されており、これらの情報もバス２４を介してプリクラッシュ用ＥＣＵ２１に入力される。
【００１８】
プリクラッシュ用ＥＣＵ２１は回転数センサ１２から入力される検出パルスを逐次カウントし、シートベルト４をスプール３に完全に巻き取った引き出し量Ｌ＝０を基準としてシートベルトの引き出し量Ｌを算出している。又、プリクラッシュ用ＥＣＵ２１はブレーキ制御用ＥＣＵ２３を介して入力されるブレーキ操作情報に基づき、ブレーキ踏み込み速度が所定値以上か否かに応じて急ブレーキ判定を下す。
【００１９】
次に、以上のように構成されたシートベルト装置のプリクラッシュ用ＥＣＵ２１が実行するベルトテンションの制御について説明する。
表１はシートベルト４の使用状況に対するベルトテンションの設定状況を示す説明図であり、表中の最上段から５段目が通常時のベルトテンション制御に相当し、最下段が急ブレーキ時のベルトテンション制御に相当しており、最下段でのみ急ブレーキ判定が下されているものとする。同表に従ってベルトテンションの制御を説明するが、以下の説明では、渦巻きばねの付勢力によるベルトテンションをＦ１、モータ１１によるＬＯ側のベルトテンションをＦ２、モータ１１によるＨＩ側のベルトテンションをＦ３と定義付けする。
【００２０】
【表１】
2005219535.tif 000003
【００２１】
まず、リトラクタ１へのシートベルト４の格納状態では、シートベルト４のタング５がバックル８から解離されているためバックルスイッチ２５がオフされていると共に、シートベルト４がスプール３に完全に巻き取られることで引き出し量Ｌ＝０が算出されている。このときプリクラッシュ用ＥＣＵ２１はモータ１１を停止保持し、結果として渦巻きばねの付勢力に相当する比較的弱いベルトテンションＦ１がシートベルト４に作用している。
【００２２】
そして、上記格納状態から乗員が車両に乗り込んでベルト着用のためにシートベルト４を引き出すと、ベルト引き出しに伴って回転数センサ１２の検出パルスがカウントされて引き出し量Ｌは次第に増加する。このときにもプリクラッシュ用ＥＣＵ２１はモータ１１を停止保持し続けてベルトテンションはＦ１のままのため、乗員は容易にシートベルト４を引き出し可能となる。
【００２３】
このシートベルト４の引き出し中において、プリクラッシュ用ＥＣＵ２１は引き出し開始時点（引き出し量Ｌ＞０となった時点）からの経過時間Ｔが予め設定された着用所要時間Ｔ0に達したか否かを判定しており、後述のように着用所要時間Ｔ0が経過してもバックルスイッチ２５がオンされないときには、ベルト巻き取りの処理を行っている。当該着用所要時間Ｔ0は、乗員がベルト引き出しを開始してから着用を完了するまでに一般的な所要時間に対して十分な余裕を見込んで設定されており、通常では着用所要時間Ｔ0が経過する以前に、乗員によりシートベルト４のタング５がバックル８に締結されてバックルスイッチ２５がオンされる。
【００２４】
このようにタング５がバックル８に締結されることでシートベルト４の着用が完了して、バックルスイッチ２５はオン状態に切換えられるが、このときプリクラッシュ用ＥＣＵ２１はモータ１１を停止保持し続けてベルトテンションをＦ１のままとする。よって、乗員はシートベルト４の拘束により圧迫感を感じることなくシートに着座可能となる。
一方、上記着用状態から乗員が車外に出るためにシートベルト４のバックル８を解離すると、バックルスイッチ２５がオフされる。このときプリクラッシュ用ＥＣＵ２１はモータ１１を作動させてＬＯ側にモータトルクを調整してスプール３に作用させる。その結果、シートベルト４には比較的強いベルトテンションＦ１＋Ｆ２が作用して迅速且つ確実にスプール３に巻き取られる。
【００２５】
シートベルト４の巻き取りに伴って検出パルスのカウントに基づく引き出し量Ｌは次第に減少し、シートベルト４の引き出し量Ｌが０に戻った時点でプリクラッシュ用ＥＣＵ２１はモータ１１の作動を停止させる。よって、ベルトテンションは再び渦巻きばねのみの場合のＦ１まで弱められ、上記格納状態に復帰する。
一方、上記シートベルト４の引き出し途中（引き出し量Ｌ＞０）で、例えば乗員が忘れ物を取りに車外に出た場合等には、シートベルト４は引き出し途中で放置されることになる。このときのプリクラッシュ用ＥＣＵ２１は着用所要時間Ｔ0が経過してもバックルスイッチ２５がオンされないため、ＬＯ側のトルクでモータ１１を作動させる。その結果、引き出し途中のシートベルト４は上記バックル解離による通常のベルト巻き取り時と同じく、比較的強いベルトテンションＦ１＋Ｆ２を受けて迅速且つ確実に巻き取られ、引き出し途中のシートベルト４が垂れ下がったまま邪魔になる等の不具合が未然に防止される。
【００２６】
尚、モータ１１の作動停止も上記通常のベルト巻き取り時と同様に引き出し量Ｌに基づいて判定され、引き出し量Ｌが０に戻った時点でモータ１１が停止されて、上記格納状態に復帰する。
一方、バックルスイッチ２５がオンされてシートベルト４が引き出されているベルト着用中において、所定値以上のブレーキ踏み込み速度に基づいて急ブレーキ判定を下したときには、プリクラッシュ用ＥＣＵ２１はモータ１１を作動させてモータトルクをＨＩ側に調整する。その結果、シートベルト４には強いベルトテンションＦ１＋Ｆ３が作用してシートベルト４による乗員の拘束がより強固となり、その直後の万一の衝突時にも確実な乗員の保護が図られる。
【００２７】
ところで、「発明が解決しようとする課題」でも述べたように、シートベルト４の引き出し過程は乗員の癖や周囲の状況等に応じて異なり、ベルト着用の意志があるにも拘わらずベルト引き出し操作が中断されることがある。このような場合、本実施形態ではベルト引き出し開始から着用完了までの経過時間Ｔに基づいて判定しているため、ベルト引き出し操作が多少中断されたとしても全体としてのベルト着用に要する時間はそれほど延長化されず、経過時間Ｔが着用所要時間Ｔ0に達することはない。よって、このように乗員にベルト着用の意志がある場合にはベルトテンションが不必要に強められる虞はなく、これによる乗員の違和感を未然に防止でき、ひいてはシートベルト装置としての商品価値を向上させることができる。
【００２８】
加えて、本来急ブレーキ時のベルトテンションＦ３を発生させるためのモータ１１をベルトテンションＦ２としてベルト巻き取りにも利用しているため、例えば２種の渦巻きばねをソレノイドにより切換える構成の特許文献１のシートベルト装置に比較すると、一方の渦巻きばねとソレノイドが省略されることになり、ひいては構成を簡略化して製造コストを低減できるという利点も得られる。
【００２９】
以上で実施形態の説明を終えるが、本発明の態様はこの実施形態に限定されるものではない。例えば、上記実施形態ではベルト引出し検出手段をコイル式の回転数センサ１２として構成して引き出し量Ｌを検出したが、当該ベルト引出し検出手段の構成は図３〜７に示すように種々に変更可能である。尚、これらの図ではモータ１１を省略しているが、上記実施形態と同じくモータ１１によりスプール３を回転駆動する構成となっている。
【００３０】
例えば図３に示すようにスプール３の近接位置に検出レバー３１aの傾動に応じて抵抗値を変化させる厚みセンサ３１を配置し、当該厚みセンサ３１の検出レバー３１ａをスプール３に巻き取られたシートベルト４の表面に当接させて、シートベルト４の厚みに応じて変化する抵抗値をシートベルト４の巻き取り量として検出するようにしてもよい。又、必ずしも引き出し量Ｌや巻き取り量を検出する必要はないため、例えば図３において厚みセンサ３１に代えてリミットスイッチを配置し、ベルト引出しの有無を検出するようにしてもよい。
【００３１】
又、図４に示すように、スプール３の側面に形成した渦巻き状のガイド溝４１内にスプール３の周方向への移動を規制したピン４２を配設し、上記厚みセンサ３１と同一に構成された回転位置センサ４３の検出レバー４３ａをピン４２に当接させてもよい。スプール３の回転に伴ってピン４２は図中に矢印で示す半径方向に移動し、ピン４２の移動に応じて回転位置センサ４３の抵抗値が変化するため、結果としてスプール３の回転量を検出できる。
【００３２】
更に、シートベルト４の引き出し状態はシートベルト４に係る張力、即ち上記ベルトテンションと相関し、完全巻き取り時に比較してシートベルト４の引き出し時にはベルトテンションが増加することから、ベルトテンションに基づいてシートベルト４の引き出し状態を検知するようにしてもよい。具体的には、図５に示すように圧縮ばね５１で付勢されたピン５２によりシートベルト４を押圧して引き出し経路を屈曲させ、ピン５２の前後位置をポテンショメータ５３等で検出するように構成する。ベルト引き出しに伴ってベルトテンションが増加すると、それに応じてピン５２が圧縮ばね５１に抗して後退し、一方、シートベルト４が完全に巻き取られた状態ではベルトテンションの低下に伴って圧縮ばね５１によりピン５２が前進するため、ピン５２の前後位置からベルトテンションを検出できる。
【００３３】
又、上記ピン５２の前後位置をポテンショメータ５３で検出する構成に代えて、図６に示すようにスプール３の回転軸３ａに歪みゲージ６１を装着してもよい。ベルトテンションに応じて回転軸３ａに加わる荷重が変化し、それに応じて回転軸３ａに撓み量も変化することから、回転軸３ａの撓み量からベルトテンションを検出できる。
尚、ベルトテンションとモータ１１の電流とは相関することから、電流センサ７１（図１に破線で示す）で検出したモータ電流に基づいてベルトテンションを検出するようにしてもよい。
【図面の簡単な説明】
【００３４】
【図１】実施形態のシートベルト装置を示す全体構成図である。
【図２】リトラクタを車両前方より見た部分断面図である。
【図３】厚みセンサによりベルト巻き取り量を検出する別例のリトラクタを示す部分断面図である。
【図４】回転位置センサによりスプールの回転位置を検出する別例のリトラクタを示す部分断面図である。
【図５】ポテンショメータによりベルトテンションを検出する別例のリトラクタを示す部分断面図である。
【図６】歪みゲージによりベルトテンションを検出する別例のリトラクタを示す部分断面図である。
【符号の説明】
【００３５】
１  スプール（回転体）
４  シートベルト
９  被動ギア（モータベルト機構）
１０  駆動ギア（モータベルト機構）
１１  モータ（モータベルト機構）
１２  回転数センサ（ベルト引出し検出手段）
２１  プリクラッシュ用ＥＣＵ（モータ回転制御手段）
２５  バックルスイッチ（ベルト着用検出手段）
【図１】
2005219535.tif 000004
【図２】
2005219535.tif 000005
【図３】
2005219535.tif 000006
【図４】
2005219535.tif 000007
【図５】
2005219535.tif 000008
【図６】
2005219535.tif 000009